(57)【要約】【課題】居室空間を有する建築物において、換気効率に優れ、かつ構造が簡単で設置やメンテナンスに要する費用が小さい換気構造を提供する。【解決手段】居室空間１１を有する建築物１０の該居室空間１１内の換気を行うための換気構造１において、建築物１０の一方の側面から居室空間１１に連通する第一の給排気ダクト１２と、建築物１０の他方の側面から居室空間１１に連通する第二の給排気ダクト１３と、第一の給排気ダクト１２及び第二の給排気ダクト１３内に設けられ、これらの内部を通過する気流の風量を調整する風量調整ダンパ１４（１４’）とを備える。【選択図】　図１
2004125198.tif 000002
【特許請求の範囲】
【請求項１】
居室空間を有する建築物の該居室空間内の換気を行うための換気構造であって、
前記建築物の一方の側面から前記居室空間に連通する第一の給排気ダクトと、
前記建築物の他方の側面から前記居室空間に連通する第二の給排気ダクトと、
前記第一の給排気ダクト及び第二の給排気ダクト内に設けられ、これらの内部を通過する気流の風量を調整する風量調整ダンパと
が備えられていることを特徴とする換気構造。
【請求項２】
請求項１に記載の換気構造において、
前記建築物の少なくとも一方の側面から前記居室空間に連通する補助排気ダクトと、
前記第一の給排気ダクト及び／又は第二の給排気ダクト内に設けられ、これらの内部を通過する気流の風量を検知するセンサと、
前記補助排気ダクト内に設けられ、前記センサにより検知された風量が所定値より小さい時に前記補助排気ダクトを通じて前記居室空間から建築物の外部に空気を排出させる排気ファンと
が備えられていることを特徴とする換気構造。
【発明の詳細な説明】
【０００１】
【発明の属する技術分野】
本発明は、居室空間を有する建築物の換気構造に関し、特に集合住宅等における各居室空間の換気を行う換気構造に関する。
【０００２】
【従来の技術】
従来、集合住宅などの居室空間を有する建築物における換気構造としては、例えば特許文献１に記載された発明が案出されている。
図６に示すように、かかる発明の換気構造１０１では、主給気ダクト１１２と主排気ダクト１１３とが、建築物１１０を水平方向に貫通するように設けられ、主給気ダクト１１２の給気口１１２ａ，１１２ｂおよび主排気ダクト１１３の排気口１１３ａ，１１３ｂが建築物１１０の対向する二つの外壁にそれぞれ開口するようにして設けられている。
また、主給気ダクト１１２から分岐した分岐給気ダクト１１４と、主排気ダクト１１３から分岐した分岐排気ダクト１１６とが、居室空間１１１と連通するように設けられている。
【０００３】
そして、風の方向に応じて給気口１１２ａ又は１１２ｂから主給気ダクト１１２に外気が流入し、この外気が分岐給気ダクト１１４を通じて居室空間１１１内に供給される。無風状態の時には、センサ１１７がこれを検知し、ファン１１９を作動させてダクト１１８から主給気ダクト１１２に外気を流入させる。
次いで、居室空間１１１内の空気は、分岐排気ダクト１１６に押し出されて主排気ダクト１１３に流入し、排気口１１３ｂ又は１１３ａから屋外に排出される。
このようにして、自然風を利用して居室空間１１１内の換気を行うようになっている。
【０００４】
【特許文献１】
特許２８９７８７３号公報（図１）
【０００５】
【発明が解決しようとする課題】
しかし、上記の換気構造１０１では、主給気ダクト１１２と主排気ダクト１１３とを建築物１０１の対向する外壁間を貫通するようにして設ける必要があるため、ダクトの延長が長くなり、その設置に多くの費用を要するという問題点があった。
【０００６】
本発明の課題は、居室空間を有する建築物において、換気効率に優れ、かつ構造が簡単で設置やメンテナンスに要する費用が小さい換気構造を提供することである。
【０００７】
【課題を解決するための手段】
以上の課題を解決するため、請求項１に記載の発明は、例えば図１に示すように、居室空間１１を有する建築物１０の該居室空間１１内の換気を行うための換気構造１であって、
前記建築物１０の一方の側面から前記居室空間１１に連通する第一の給排気ダクト１２と、
前記建築物１０の他方の側面から前記居室空間１１に連通する第二の給排気ダクト１３と、
前記第一の給排気ダクト１２及び第二の給排気ダクト１３内に設けられ、これらの内部を通過する気流の風量を調整する風量調整ダンパ１４（１４’）と
が備えられていることを特徴とする。
ここで、居室空間１１とは、一つの部屋から構成されたものであっても良く、互いに通気可能な二つ以上の部屋から構成されたものであっても良い。
また、居室空間とは、入居者が継続的に使用する部屋に限らず、建築物におけるあらゆる部屋を指すものとする。
【０００８】
請求項１に記載の発明によれば、建築物周囲の風向きに応じて、風上側の第一の給排気ダクト又は第二の給排気ダクトを通じて、風量調整ダンパにより風量を調整された外気を居室空間に流入させるとともに、居室空間内の空気を風下側の第二の給排気ダクト又は第一の給排気ダクト内へと押し出して屋外へ排出することができる。
このように、第一の給排気ダクト及び第二の給排気ダクトは、給気ダクトと排気ダクトの役目を兼ね備えるので、給気ダクトや排気ダクトを建築物の対向する外壁間を貫通するようにして設ける場合に比して、その延長を大幅に短縮することができる。
したがって、自然風を利用する換気構造を簡単な構造とし、低コストで設置、保守することができる。
【０００９】
請求項２に記載の発明は、例えば図１に示すように、請求項１に記載の換気構造１において、
前記建築物１０の少なくとも一方の側面から前記居室空間１１に連通する補助排気ダクト１６と、
前記第一の給排気ダクト１２及び／又は第二の給排気ダクト１３内に設けられ、これらの内部を通過する気流の風量を検知するセンサ１５と、
前記補助排気ダクト１６内に設けられ、前記センサ１５により検知された風量が所定値より小さい時に前記補助排気ダクト１６を通じて前記居室空間１１から建築物１０の外部に空気を排出させるファン１７と
が備えられていることを特徴とする。
【００１０】
請求項２に記載の発明によれば、請求項１に記載の発明と同様の効果が得られるとともに、センサにより第一の給排気ダクト及び／又は第二の給排気ダクト内を通過する気流の風量が所定値より小さいことが検知された時、すなわち居室空間を換気するのに十分な強さの自然風が吹いていない時には、ファンが作動し、居室空間の空気が補助排気ダクトを通じて建築物の外部へと排出されるとともに、第一の給排気ダクト及び第二の給排気ダクトを通じて、建築物の外部から居室空間へと外気が誘引される。
したがって、自然風が弱い時や無風状態の時にも、居室空間の換気を適切に行うことができる。
【００１１】
【発明の実施の形態】
以下、図面を参照して、本発明の好適な実施の形態を具体的に説明する。
【００１２】
本実施の形態の換気構造１は、図１に示すように、集合住宅である建築物１０の各住戸の居室空間１１の換気を行うため、これら各住戸の天井裏に設置されたものである。
ここで、居室空間１１は、互いに通気可能な二つ以上の部屋（例えばアンダーカット付きドアやがらり付きドアなどで区画された二つ以上の部屋）から構成されたものである。
【００１３】
この換気構造１は、建築物１０の一方の側面（例えば北側の外壁面）から居室空間１１に連通する第一の給排気ダクト１２と、建築物１０の他方の側面（例えば南側の外壁面）から居室空間１１に連通する第二の給排気ダクト１３とを備えている。
【００１４】
第一の給排気ダクト１２及び第二の給排気ダクト１３の各吸気口付近には、これら第一の給排気ダクト１２及び第二の給排気ダクト１３の内部を通過する気流の風量を調整する風量調整ダンパ１４又は１４’が備えられている。
【００１５】
図２は、風量調整ダンパの一例１４を示す斜視図であり、図３は、風量調整ダンパ１４の構造を模式的に示した断面図である。
風量調整ダンパ１４は、図２、図３に示すように、可撓性を有する略扇型の４枚の風量調整羽根１４ａ、ストッパ１４ｂ、がらり１４ｃ等から構成されている。
【００１６】
風量調整ダンパ１４は、風量調整羽根１４ａの付け根が第一の給排気ダクト１２又は第二の給排気ダクト１３の居室空間１１側に向かって凸となるように設けられている。
屋外から給排気ダクト１２，１３に、建築物１０の居室空間１１に向かう方向（図３中、矢印で示す方向）に空気が流入する時には、風量調整ダンパ１４において給排気ダクト１２，１３と風量調整羽根１４ａとの間の隙間１４ｄを気流が通過する。この時、風量調整羽根１４ａは気流の圧力によって隙間１４ｄを塞ぐ方向に撓むようになっている。気流が強くなると、風量調整羽根１４ａに働く圧力も増加して隙間１４ｄが更に小さくなることにより、屋外から給排気ダクト１２，１３に流入する外気の風量が抑制されるようになっている。
【００１７】
図４は、風量調整ダンパの他の一例１４’を示す斜視図であり、図５は、風量調整ダンパ１４’の動作を示す断面図である。
風量調整ダンパ１４’は、図４に示すように、給排気ダクト１２，１３に連接されることで給排気ダクト１２，１３の一部を構成する円筒状の枠部材１４１、枠部材１４１の内径に対応して円板状に形成される主羽根１４２とを備えている。
【００１８】
主羽根１４２は、枠部材１４１の軸心方向に直交する主羽根回動軸１４３を介して枠部材１４１の内部に取付けられ、この主羽根回動軸１４３を中心に円滑に回動可能となっている。
枠部材１４１の上部内面には主羽根ストッパ１４５が設けられ、主羽根１４２が枠部材１４１の内部空間を閉塞した状態で、図４，図５において主羽根１４２の時計回りの回動を規制するようになっている。
【００１９】
主羽根１４２の主羽根回動軸１４３より居室空間１１側を上動作部１４２ａ、屋外側を下動作部１４２ｂとする（図４、図５参照）と、上動作部１４２ａ側が下動作部１４２ｂ側よりもわずかに重くなるように、主羽根回動軸１４３は主羽根１４２の重心から僅かにずらした位置に設定されている。
従って、主羽根１４２が風の抵抗をほとんど受けない無風時および小気流量時の状態では、主羽根１４２が反時計回りに回動しようとするが、主羽根１４２がほぼ水平となる位置でこの回動を規制するように、枠部材１４１の内面には例えばビス等の微風量時ストッパ１４６が設けられている。
また、図４，図５に示すように、主羽根１４２の上動作部１４２ａの下面には、給排気ダクト１２，１３内を屋外側から居室空間１１側へ流れる気流を受ける受風部１４４が突設されている。
【００２０】
上記の通り、無風時および小気流量時の状態では上動作部１４２ａが下がるように、主羽根１４２の上動作部１４２ａは下動作部１４２ｂよりもわずかに重く設定されている。これは、主羽根１４２に対する主羽根回動軸１４３の位置をわずかに主羽根１４２の中心からずらすことにより実現しても良いし、あるいは上動作部１４２ａに図示しない重りを設けることにより実現しても良い。
【００２１】
このように構成された風量調整ダンパ１４’の動作について、図５を参照して説明する。なお、ここでは、屋外側（図５中、右側）からの風を順気流、居室空間１１側（図５中、左側）からの風を逆気流と呼ぶ。また、風量の大きさについての記載は、順気流についてのものとする。
【００２２】
給排気ダクト１２，１３内部が無風・微風の時には、主羽根１４２の上動作部１４２ａ側が下動作部１４２ｂ側よりも重いため、主羽根１４２が反時計回りに回動しようとするが、図５（ａ）に示すように、微風量時ストッパ１４６によって、この回動が規制される。
【００２３】
給排気ダクト１２，１３内部が小風量から中風量の時には、図５（ｂ）に示すように、主羽根１４２の上動作部１４２ａの下面と受風部１４４との間に風が溜まり、上動作部１４２ａが上昇を開始する。
さらに、主羽根１４２の上動作部１４２ａが上昇した状態においては、図５（ｃ）に示すように、枠部材１４１の内部において主羽根１４２の上部空間は風上側から風下側にかけて狭くなる。これにより、前記上部空間を通過する風の流速は風上側から風下側に向かうにつれて次第に大きくなり、上動作部１４２ａに下動作部１４２ｂよりも大きな揚力が作用する。
このように、給排気ダクト１２，１３内部を流れる風量が増加して、小風量から中風量に移行すると、前記揚力が主羽根１４２を回動させる臨界気流量に達し、主羽根１４２は枠部材１４１を閉じる方向に回動する。
【００２４】
給排気ダクト１２，１３内部を流れる風量がさらに増加すると、図５（ｄ）に示すように、主羽根１４２が時計回りに回動して主羽根ストッパ１４５にぶつかりそうになり、主羽根１４２の上下を通過する気流量が著しく少なくなる。すると、上動作部１４２ａ、下動作部１４２ｂが受ける揚力が小さくなるとともにこれら揚力差も小さくなり、主羽根１４２が少し反対側に回動して主羽根１４２の上下を通過する気流量がわずかに増加する。そして、再び上動作部１４２ａが揚力を受けて主羽根１４２が枠部材１４１を閉じる方向にわずかに回動して主羽根１４２の上下を通過する気流量が少なくなる。以後、徐々に減衰しながらこれらの動作が繰り返されて気流量が安定する。
【００２５】
以上のような風量調整ダンパ１４，１４’を用いることにより、強風時でも給排気ダクト１２，１３に流入する外気の量が多くなり過ぎることがなく、居室空間１１内の冷暖房効率を落とさずに一定レベルの換気を行い続けることができる。
【００２６】
また、風量調整ダンパは、上記構成のものに限るものではなく、給排気ダクト１２，１３を通過する気流の風量を調整可能なものであれば、どのような構造のものであってもよい。
【００２７】
また、換気構造１は、建築物１０の一方の側面（例えば北側の外壁面）から居室空間１１に連通する補助排気ダクト１６と、第二の給排気ダクト１３内に設けられ、この内部を通過する気流の風量を検知するセンサ１５と、補助排気ダクト１６内に設けられ、センサ１５により検知された風量が所定値より小さい時に補助排気ダクト１６を通じて前記居室空間１１から建築物１０の外部に空気を排出させるファン１７とを備えている。
【００２８】
以上、本実施の形態に記載の換気構造１によれば、建築物１０周囲の風向きに応じて、風上側の第一の給排気ダクト１２又は第二の給排気ダクト１３を通じて、風量調整ダンパ１４（１４’）により風量を調整された外気を居室空間１１に流入させるとともに、居室空間１１内の空気を風下側の第二の給排気ダクト１３又は第一の給排気ダクト１２内へと押し出して屋外へ排出することができる。
このように、第一の給排気ダクト１２及び第二の給排気ダクト１３は、給気ダクトと排気ダクトの役目を兼ね備えるので、給気ダクトや排気ダクトを建築物の対向する外壁間を貫通するようにして設ける場合に比して、その延長を大幅に短縮することができる。
したがって、自然風を利用する換気構造を簡単な構造とし、低コストで設置、保守することができる。
【００２９】
また、センサ１５により第一の給排気ダクト１２及び／又は第二の給排気ダクト１３内を通過する気流の風量が所定値より小さいことが検知された時、すなわち居室空間１１を換気するのに十分な強さの自然風が吹いていない時には、ファン１７が作動し、居室空間１１の空気が補助排気ダクト１６を通じて建築物１０の外部へと排出されるとともに、第一の給排気ダクト１２及び第二の給排気ダクト１３を通じて、建築物１０の外部から居室空間１１へと外気が誘引される。
したがって、自然風が弱い時や無風状態の時にも、居室空間１１の換気を適切に行うことができる。
【００３０】
なお、本発明は、上記の実施の形態に限定されることなく、本発明の趣旨を逸脱しない範囲内おいて、種々の改良並びに設計の変更を行っても良い。
例えば、上記実施の形態では、給気量を調整する風量調整ダンパを第一の給排気ダクトと第二の給排気ダクトの双方に設けているが、排気量を調整する風量調整ダンパを第一の給排気ダクトと第二の給排気ダクトの双方に設けても良いし、給気量と排気量の双方を調整可能な風量調整ダンパを第一の給排気ダクトと第二の給排気ダクトの少なくとも一方に設けても良い。
その他、具体的な細部構造等についても適宜に変更可能であることは勿論である。
【００３１】
【発明の効果】
請求項１に記載の発明によれば、建築物周囲の風向きに応じて、風上側の第一の給排気ダクト又は第二の給排気ダクトを通じて、風量調整ダンパにより風量を調整された外気を居室空間に流入させるとともに、居室空間内の空気を風下側の第二の給排気ダクト又は第一の給排気ダクト内へと押し出して屋外へ排出することができる。
このように、第一の給排気ダクト及び第二の給排気ダクトは、給気ダクトと排気ダクトの役目を兼ね備えるので、給気ダクトや排気ダクトを建築物の対向する外壁間を貫通するようにして設ける場合に比して、その延長を大幅に短縮することができる。
したがって、自然風を利用する換気構造を簡単な構造とし、低コストで設置、保守することができる。
【００３２】
請求項２に記載の発明によれば、請求項１に記載の発明と同様の効果が得られるとともに、センサにより第一の給排気ダクト及び／又は第二の給排気ダクト内を通過する気流の風量が所定値より小さいことが検知された時、すなわち居室空間を換気するのに十分な強さの自然風が吹いていない時には、ファンが作動し、居室空間の空気が補助排気ダクトを通じて建築物の外部へと排出されるとともに、第一の給排気ダクト及び第二の給排気ダクトを通じて、建築物の外部から居室空間へと外気が誘引される。
したがって、自然風が弱い時や無風状態の時にも、居室空間の換気を適切に行うことができる。
【図面の簡単な説明】
【図１】本発明に係る換気構造の一例を示す断面図である。
【図２】本発明に係る換気構造に用いられる風量調整ダンパの一例を示す斜視図である。
【図３】本発明に係る換気構造に用いられる風量調整ダンパの一例の構造を模式的に示す断面図である。
【図４】本発明に係る換気構造に用いられる風量調整ダンパの他の一例を示す斜視図である。
【図５】本発明に係る換気構造に用いられる風量調整ダンパの他の一例の動作を示す断面図である。
【図６】従来の換気構造の一例を示す断面図である。
【符号の説明】
１　　　　　　　　換気構造
１０　　　　　　　建築物
１１　　　　　　　居室空間
１２　　　　　　　第一の給排気ダクト
１３　　　　　　　第二の給排気ダクト
１４（１４’）　　風量調整ダンパ
１５　　　　　　　センサ
１６　　　　　　　補助排気ダクト
１７　　　　　　　ファン
【図１】
2004125198.tif 000003
【図２】
2004125198.tif 000004
【図３】
2004125198.tif 000005
【図４】
2004125198.tif 000006
【図５】
2004125198.tif 000007
【図６】
2004125198.tif 000008